(57)【要約】【課題】媒体に外部から熱を加えたり風を当てたりして媒体を乾燥すると、媒体の表面近くの液体成分は蒸発するが、媒体の厚み方向の中心付近に液体成分が残ることがあり、媒体の乾燥が十分に行われない場合があった。【解決手段】媒体乾燥装置５０は、ラインヘッド２０による記録が行われて搬送される媒体を乾燥するヒートローラー対５１と、媒体における記録が行われた領域を含む領域に対して複数の孔を形成する穿孔部１００と、を備える。穿孔部１００は、媒体に突き刺し可能な複数の突刺し部１０１を備え、突刺し部１０１は、ヒートローラー対５１の乾燥駆動ローラー５１ａの外周面に設けられている。【選択図】図２
2020101328.tif 000002
【特許請求の範囲】
【請求項１】
記録部による記録が行われて搬送される媒体を乾燥する乾燥処理部と、
媒体における記録が行われた領域を含む領域に対して複数の孔を形成する穿孔部と、を備える
ことを特徴とする媒体乾燥装置。
【請求項２】
請求項１に記載の媒体乾燥装置において、
前記乾燥処理部は、回転駆動される乾燥駆動ローラーと、前記乾燥駆動ローラーの回転に従動回転する乾燥従動ローラーと、の間に媒体を挟持する乾燥ローラー対を備え、前記乾燥駆動ローラー及び前記乾燥従動ローラーの一方、または両方が加熱される構成である、
ことを特徴とする媒体乾燥装置。
【請求項３】
請求項１または請求項２に記載の媒体乾燥装置において、
前記穿孔部は、前記乾燥処理部に対して媒体搬送方向の上流に配置される、
ことを特徴とする媒体乾燥装置。
【請求項４】
請求項１から請求項３のいずれか一項に記載の媒体乾燥装置において、
回転駆動される搬送駆動ローラーと、前記搬送駆動ローラーの回転に従動回転する搬送従動ローラー、との間に媒体を挟持する搬送ローラー対を備え、
前記穿孔部は、媒体に突き刺し可能な複数の突刺し部を備え、
前記突刺し部は、前記搬送駆動ローラー及び前記搬送従動ローラーの一方の外周面に設けられる、
ことを特徴とする媒体乾燥装置。
【請求項５】
請求項２に記載の媒体乾燥装置において、
前記穿孔部は、媒体に突き刺し可能な複数の突刺し部を備え、
前記突刺し部は、前記乾燥駆動ローラー及び前記乾燥従動ローラーの一方の外周面に設けられる、
ことを特徴とする媒体乾燥装置。
【請求項６】
請求項５に記載の媒体乾燥装置において、前記突刺し部が設けられるローラーは加熱される、ことを特徴とする媒体乾燥装置。
【請求項７】
請求項４から請求項６のいずれか一項に記載の媒体乾燥装置において、
前記突刺し部が設けられるローラーは、媒体に対して前記突刺し部が突き刺さる進出位置と、媒体に対して前記突刺し部が突き刺ささらない退避位置と、の間で変位可能である、
ことを特徴とする媒体乾燥装置。
【請求項８】
請求項１から請求項７のいずれか一項に記載の媒体乾燥装置において、前記乾燥処理部を含み、媒体を周回搬送可能なループ状搬送経路を備える、
ことを特徴とする媒体乾燥装置。
【請求項９】
請求項８に記載の媒体乾燥装置において、
前記穿孔部は、媒体が前記ループ状搬送経路を搬送される場合に、ループの外側を向く面から孔を開ける、
ことを特徴とする媒体乾燥装置。
【請求項１０】
処理される媒体を受け入れる受け入れ部と、
前記受け入れ部から受け入れた媒体に乾燥処理を行う請求項１から請求項９のいずれか一項に記載の媒体乾燥装置と、
前記受け入れ部から受け入れた媒体に対し、或いは前記媒体乾燥装置で乾燥処理された媒体に対して処理を行う処理部と、を備える
ことを特徴とする媒体処理装置。
【請求項１１】
請求項１０に記載の媒体処理装置において、
前記媒体乾燥装置で乾燥処理された媒体に対し、媒体搬送方向と交差する方向である媒体幅方向の中央を綴じる中綴じ処理部を備える、
ことを特徴とする媒体処理装置。
【請求項１２】
請求項１０に記載の媒体処理装置において、
前記媒体乾燥装置で乾燥処理された媒体を装置本体の外に排出する第１排出部と、
前記処理部で処理された媒体を前記装置本体の外に排出する第２排出部と、
前記第２排出部から排出される媒体を受けるトレイと、を備え、
前記装置本体の外側に設けられ、前記第１排出部から排出される媒体を受け入れ、媒体排出方向と交差する方向である媒体幅方向の中央を綴じる中綴じ処理を行う中綴じユニットが、前記トレイの下方において着脱可能に構成される、
ことを特徴とする媒体処理装置。
【請求項１３】
前記記録部を備える記録ユニットと、
前記記録部による記録後の媒体を処理する、請求項１０から請求項１２のいずれか一項に記載の媒体処理装置と、
を備える記録システム。
【発明の詳細な説明】
【技術分野】
【０００１】
本発明は、媒体を乾燥する媒体乾燥装置、媒体乾燥装置を備えた媒体処理装置、および媒体乾燥装置を備えた記録システムに関する。
【背景技術】
【０００２】
媒体にステープル処理やパンチング処理等の処理を行う媒体処理装置には、例えば、搬送される媒体を積載トレイに送り、積載トレイで端部を揃え、その後にステープル処理やパンチング処理等の処理を施すものがある。またこのような媒体処理装置は、プリンターに代表される記録装置に隣接して設けられ、全体として記録システムを構成する場合もある。
【０００３】
上述の記録システムにおいて、記録装置が媒体に対してインクを吐出することで記録を行うインクジェットプリンターである場合、特有の課題が生じる。即ち、インクを吐出することで記録が行われた媒体はインク吐出面の摩擦が高くなる為、媒体処理装置で処理を行う際、積載トレイにおいて媒体の整合性が悪くなる等の課題が生じる。そしてこの課題に対応する為に、媒体を積載トレイに送る前に媒体を乾燥させる乾燥装置が設けられる場合がある。  
特許文献１には、媒体を挟持しつつ媒体を加熱する乾燥ローラー対を備える乾燥装置が開示されている。
【先行技術文献】
【特許文献】
【０００４】
【特許文献１】特開２０１２−２１０７５８号公報
【発明の概要】
【発明が解決しようとする課題】
【０００５】
このような乾燥装置において、媒体に外部から熱を加えて媒体を乾燥すると、媒体の表面近くの液体成分は蒸発するが、媒体の厚み方向の中心付近に液体成分が残ることがあり、媒体の乾燥が十分に行われない場合があった。  
乾燥装置は熱による乾燥だけでなく、例えば媒体に風を当てて乾燥させる場合もあるが、この場合も同様に、媒体の表面近くの液体成分だけが蒸発し、媒体の厚み方向の中心付近に液体成分が残る問題がある。
【課題を解決するための手段】
【０００６】
上記課題を解決する本発明の媒体乾燥装置は、記録部による記録が行われて搬送される媒体を乾燥する乾燥処理部と、媒体における記録が行われた領域を含む領域に対して複数の孔を形成する穿孔部と、を備えることを特徴とする。
【図面の簡単な説明】
【０００７】
【図１】記録システムの概略図。
【図２】乾燥処理部の概略側面図。
【図３】ヒートローラー対の構成を説明する図。
【図４】媒体に複数の孔を形成しない場合の乾燥状態と、媒体に複数の孔を形成した場合の乾燥状態と、について説明する図。
【図５】乾燥駆動ローラーの要部拡大斜視図。
【図６】図５のＶ１−Ｖ１矢視断面図。
【図７】図５のＶ２−Ｖ２矢視断面図。
【図８】乾燥駆動ローラーを進出位置と退避位置との間で切り換える構成について説明する図。
【図９】乾燥部で処理された媒体を第１排出部に送る第１状態と、乾燥部で処理された媒体を端綴じ部に送る第２状態と、を切り換える切換フラップの動作について説明する図。
【図１０】中綴じ処理部の側断面図。
【図１１】中綴じ処理部における中綴じ処理について説明する図。
【図１２】中綴じ処理部における中綴じ処理について説明する図。
【図１３】第２実施形態に係る媒体乾燥装置について説明する概略図。
【図１４】第３実施形態に係る第１ユニットについて説明する概略図。
【図１５】第３実施形態に係る第１ユニットの他の例について説明する概略図。
【発明を実施するための形態】
【０００８】
以下、本発明について概略的に説明する。  
第１の態様に係る媒体乾燥装置は、記録部による記録が行われて搬送される媒体を乾燥する乾燥処理部と、媒体における記録が行われた領域を含む領域に対して複数の孔を形成する穿孔部と、を備えることを特徴とする。
【０００９】
媒体に対して複数の孔が形成されていると、媒体の厚み方向の内部から液体が蒸発し易くなる。本態様によれば、搬送される媒体を乾燥する乾燥処理部と、媒体に対して複数の孔を形成する穿孔部と、を備えるので、乾燥処理部による媒体の乾燥を効果的に行うことができる。
【００１０】
第２の態様は、第１の態様において、前記乾燥処理部は、回転駆動される乾燥駆動ローラーと、前記乾燥駆動ローラーの回転に従動回転する乾燥従動ローラーと、の間に媒体を挟持する乾燥ローラー対を備え、前記乾燥駆動ローラー及び前記乾燥従動ローラーの一方、または両方が加熱される構成である、ことを特徴とする。
【００１１】
本態様によれば、前記乾燥処理部は、前記乾燥駆動ローラー及び前記乾燥従動ローラーの一方、または両方が加熱される乾燥ローラー対を備えるので、前記乾燥ローラー対に媒体をニップして搬送しつつ媒体を加熱することができる。
【００１２】
第３の態様は、第１の態様または第２の態様において、前記穿孔部は、前記乾燥処理部に対して媒体搬送方向の上流に配置される、ことを特徴とする。  
本態様によれば、前記乾燥処理部による乾燥を行う前に媒体に対して複数の孔を形成することができるので、前記乾燥処理部による媒体の乾燥を効果的に行うことができる。
【００１３】
第４の態様は、第１の態様から第３の態様のいずれかにおいて、回転駆動される搬送駆動ローラーと、前記搬送駆動ローラーの回転に従動回転する搬送従動ローラー、との間に媒体を挟持する搬送ローラー対を備え、前記穿孔部は、媒体に突き刺し可能な複数の突刺し部を備え、前記突刺し部は、前記搬送駆動ローラー及び前記搬送従動ローラーの一方の外周面に設けられる、ことを特徴とする。
【００１４】
本態様によれば、搬送駆動ローラーと搬送従動ローラーとの間に媒体を挟持する搬送ローラー対によって媒体を搬送する際に、前記突刺し部が媒体に突き刺さり、媒体に対して複数の孔を形成することができる。
【００１５】
第５の態様は、第２の態様において、前記穿孔部は、媒体に突き刺し可能な複数の突刺し部を備え、前記突刺し部は、前記乾燥駆動ローラー及び前記乾燥従動ローラーの一方の外周面に設けられる、ことを特徴とする。
【００１６】
本態様によれば、乾燥処理部である前記乾燥ローラー対によって媒体を搬送する際に、前記突刺し部が媒体に突き刺さり、媒体に対して複数の孔を形成することができる。  
前記乾燥処理部としての前記乾燥ローラー対で媒体を加熱しつつ、媒体に複数の孔を形成するので、媒体の乾燥を効果的に行うことができる。また、前記乾燥ローラー対に穿孔部の機能を持たせることができるので、装置の小型化を図ることができる。
【００１７】
第６の態様は、第５の態様において、前記突刺し部が設けられるローラーは加熱される、ことを特徴とする。  
本態様によれば、前記突刺し部が設けられるローラーは加熱されるので、一層効果的に媒体の乾燥を行うことができる。
【００１８】
第７の態様は、第４の態様から第６の態様のいずれかにおいて、前記突刺し部が設けられるローラーは、媒体に対して前記突刺し部が突き刺さる進出位置と、媒体に対して前記突刺し部が突き刺ささらない退避位置と、の間で変位可能である、ことを特徴とする。
【００１９】
本態様によれば、前記突刺し部が媒体に突き刺さって媒体に複数の孔を形成する状態と、前記突刺し部が媒体に突き刺さらず、媒体に複数の孔を形成しない状態と、を切り換えることができる。
【００２０】
第８の態様は、第１の態様から第７の態様のいずれかにおいて、前記乾燥処理部を含み、媒体を周回搬送可能なループ状搬送経路を備える、ことを特徴とする。
【００２１】
本態様によれば、前記乾燥処理部を含み、媒体を周回搬送可能なループ状搬送経路を備えるので、媒体を周回搬送させることで前記乾燥処理部による乾燥処理を複数回施すことができ、より確実な乾燥を行うことができる。また、乾燥処理を複数回行う為の搬送経路が大型化せず、装置の大型化を抑制できる。
【００２２】
第９の態様は、第８の態様において、前記穿孔部は、媒体が前記ループ状搬送経路を搬送される場合に、ループの外側を向く面から孔を開ける、ことを特徴とする。
【００２３】
本態様によれば、媒体において前記ループ状搬送経路のループの外を向く面から孔を開けるので、媒体が前記ループ状搬送経路を通る際に孔が開くように湾曲し、液体成分が蒸発し易くすることができる。
【００２４】
第１０の態様に係る媒体処理装置は、処理される媒体を受け入れる受け入れ部と、前記受け入れ部から受け入れた媒体に乾燥処理を行う第１の態様から第９の態様のいずれかの媒体乾燥装置と、前記受け入れ部から受け入れた媒体に対し、或いは前記媒体乾燥装置で乾燥処理された媒体に対して処理を行う処理部と、を備えることを特徴とする。
【００２５】
本態様によれば、処理される媒体を受け入れる受け入れ部と、前記受け入れ部から受け入れた媒体に乾燥処理を行う媒体乾燥装置と、前記受け入れ部から受け入れた媒体に対し、或いは前記媒体乾燥装置で乾燥処理された媒体に対して処理を行う処理部と、を備える媒体処理装置において、第１の態様から第９の態様のいずれかと同様の作用効果が得られる。
【００２６】
第１１の態様は、第１０の態様において、前記媒体乾燥装置で乾燥処理された媒体に対し、媒体搬送方向と交差する方向である媒体幅方向の中央を綴じる中綴じ処理部を備える、ことを特徴とする。  
本態様によれば、前記処理部による処理に加え、前記媒体乾燥装置で乾燥処理された媒体に対して中綴じ処理を行うことができる。
【００２７】
第１２の態様は、第１０の態様において、前記媒体乾燥装置で乾燥処理された媒体を装置本体の外に排出する第１排出部と、前記処理部で処理された媒体を前記装置本体の外に排出する第２排出部と、前記第２排出部から排出される媒体を受けるトレイと、を備え、前記装置本体の外側に設けられ、前記第１排出部から排出される媒体を受け入れ、媒体排出方向と交差する方向である媒体幅方向の中央を綴じる中綴じ処理を行う中綴じユニットが、前記トレイの下方において着脱可能に構成される、ことを特徴とする。
【００２８】
本態様によれば、前記処理部による処理に加え、前記トレイの下方において前記中綴じユニットが着脱可能に構成されるので、前記中綴じユニットを有する構成と、前記中綴じユニットを省く構成とを容易に切り換えることができる。  
また、前記中綴じユニットが装着された際、当該中綴じユニットは、前記トレイの下方に位置するので、前記中綴じユニットによって前記トレイに排出された媒体の取り出しが妨げられることがない。
【００２９】
第１３の態様に係る記録システムは、前記記録部を備える記録ユニットと、前記記録部による記録後の媒体を処理する、第１０の態様から第１２の態様のいずれかの媒体処理装置と、を備える。  
本態様によれば、記録システムにおいて、上述した第１０から第１２の態様のいずれかの作用効果が得られる。
【００３０】
［第１実施形態］
以下、第１実施形態について図を参照して説明する。各図において示すＸ−Ｙ−Ｚ座標系はＸ軸方向が装置奥行き方向を示し、Ｙ軸方向が装置幅方向を示し、Ｚ軸方向が装置高さ方向を示している。
【００３１】
＜＜＜記録システムの概略＞＞＞
図１に示す記録システム１は、一例として、図１の右方から左方に向かって順に記録ユニット２と、中間ユニット３と、媒体処理装置としての第１ユニット５と、第１ユニット５に対して着脱可能な中綴じユニットとしての第２ユニット６とを備えている。
【００３２】
第１ユニット５には、受け入れた媒体に乾燥処理を施す媒体乾燥装置５０と、記録ユニット２における記録後の媒体を束にして端を綴じる端綴じ処理を行う端綴じ部４２が設けられている。端綴じ部４２は、第１ユニット５に受け入れられた媒体に対して処理を行う処理部の一例である。第２ユニット６には、記録ユニット２における記録後の媒体の束の中央を綴じて折り、冊子体にする中綴じ処理を行う中綴じ処理部７０が設けられている。  
記録システム１は、第２ユニット６を取り外し、記録ユニット２における記録後の媒体に対して行う後処理として、中綴じ処理を行わない構成とすることも可能である。尚、第２ユニット６を取り外した状態の記録システム１の図示は省略する。
【００３３】
記録ユニット２は、搬送される媒体に記録を行う。中間ユニット３は、記録後の媒体を記録ユニット２から受け入れて第１ユニット５に受け渡す。第１ユニット５は、受け入れた媒体に乾燥処理や端綴じ処理等の処理を行う。第１ユニット５は、乾燥処理後の媒体を第２ユニット６に受け渡すこともできる。第２ユニット６では中綴じ処理を行う。  
以下、記録ユニット２、中間ユニット３、第１ユニット５（媒体処理装置）、媒体乾燥装置５０、第２ユニット６の順に詳しく説明する。
【００３４】
＜＜＜記録ユニットについて＞＞＞
図１を参照して記録ユニット２について説明する。記録ユニット２は、媒体に記録を行う記録部としてのラインヘッド２０を備えるプリンター部１０と、スキャナー部１１を備える複合機として構成されている。本実施形態において、ラインヘッド２０は、液体であるインクを媒体に吐出して記録を行う、所謂インクジェット式の記録ヘッドとして構成されている。  
プリンター部１０の下部には、複数の媒体収容カセット１２を備えるカセット収容部１４が設けられている。媒体収容カセット１２に収容された媒体Ｐが、図１において実線で示される給送経路２１を通ってラインヘッド２０による記録領域に送られて、記録動作が行われる。ラインヘッド２０による記録後の媒体は、ラインヘッド２０の上方に設けられる記録後排出トレイ１３に媒体を排出するための経路である第１排出経路２２か、中間ユニット３に媒体を送るための経路である第２排出経路２３か、のいずれかに送られる。
【００３５】
図１において、第１排出経路２２を破線で示し、第２排出経路２３を一点鎖線で示している。第２排出経路２３は記録ユニット２の＋Ｙ方向に延設され、媒体を隣接する中間ユニット３の受入経路３０に受け渡す。
【００３６】
また、記録ユニット２は、図１において二点鎖線で示される反転用経路２４を備え、媒体の第１面への記録後に、媒体を反転して第２面への記録を行う両面記録が可能に構成されている。尚、給送経路２１、第１排出経路２２、第２排出経路２３、及び反転用経路２４のそれぞれには、媒体を搬送する手段の一例として、図示を省略するローラー対が一対以上配置されている。
【００３７】
記録ユニット２には、記録ユニット２における媒体の搬送や記録に係る動作を制御する制御部２５が設けられている。尚、記録システム１は、記録ユニット２、中間ユニット３、第１ユニット５、及び第２ユニット６が互いに機械的及び電気的に接続されて、記録ユニット２から第２ユニット６まで媒体を搬送可能に構成されている。制御部２５は、記録ユニット２に接続された中間ユニット３、第１ユニット５、及び第２ユニット６における各種動作の制御を行うことができる。
【００３８】
記録システム１は、図示を省略する操作パネルから、記録ユニット２、中間ユニット３、第１ユニット５、及び第２ユニット６における設定を入力することができるように構成されている。操作パネルは、一例として記録ユニット２に設けることができる。
【００３９】
＜＜＜中間ユニットについて＞＞＞
図１を参照して中間ユニット３について説明する。図１に示される中間ユニット３は、記録ユニット２から受け入れた媒体を第１ユニット５に受け渡す。中間ユニット３は、記録ユニット２と第１ユニット５との間に配置されている。記録ユニット２の第２排出経路２３を搬送された媒体は、受入経路３０から中間ユニット３に受け入れられて、第１ユニット５に向けて搬送される。尚、受入経路３０は、図１において実線で示されている。
【００４０】
中間ユニット３において、媒体を搬送する搬送経路は二つある。一つ目の搬送経路は、受入経路３０から図１において点線で示す第１スイッチバック経路３１を経て、合流経路３３に搬送される経路である。二つ目の経路は、受入経路３０から図１において二点鎖線で示す第２スイッチバック経路３２を経て、合流経路３３に搬送される経路である。  
第１スイッチバック経路３１は矢印Ａ１方向に媒体を受け入れた後、矢印Ａ２方向に媒体をスイッチバックさせる経路である。第２スイッチバック経路３２は矢印Ｂ１方向に媒体を受け入れた後、矢印Ｂ２方向に媒体をスイッチバックさせる経路である。
【００４１】
受入経路３０は、分岐部３５において第１スイッチバック経路３１と第２スイッチバック経路３２とに分岐している。分岐部３５には、媒体の送り先を第１スイッチバック経路３１と第２スイッチバック経路３２とのいずれかに切り換える不図示のフラップが設けられている。
【００４２】
また、第１スイッチバック経路３１と第２スイッチバック経路３２は合流部３６において合流している。したがって、媒体が受入経路３０から第１スイッチバック経路３１または第２スイッチバック経路３２のいずれに送られても、共通の合流経路３３を経て第１ユニット５に媒体を受け渡すことができる。
【００４３】
中間ユニット３は、記録ユニット２からラインヘッド２０による直近の記録面を上にした状態で媒体を受入経路３０に受け入れるが、合流経路３３において媒体は湾曲反転されて、直近の記録面が下を向いた状態になる。  
したがって、直近の記録面が下を向いた状態の媒体が、中間ユニット３の＋Ｙ方向から第１ユニット５の第１搬送経路４３に受け渡される。  
尚、受入経路３０、第１スイッチバック経路３１、第２スイッチバック経路３２、及び合流経路３３のそれぞれには、媒体を搬送する手段の一例として、図示を省略するローラー対が一つ以上配置されている。
【００４４】
記録ユニット２において、複数の媒体に連続して記録を行う場合、中間ユニット３に入った媒体は、第１スイッチバック経路３１を通る搬送経路と、第２スイッチバック経路３２を通る搬送経路と、に交互に送られる。このことによって、中間ユニット３における媒体搬送のスループットを高めることができる。
【００４５】
また、本実施形態のラインヘッド２０のように、媒体に対してインク（液体）を吐出して記録を行う構成である場合、後段の第１ユニット５や第２ユニット６で処理を行う際に媒体が湿っていると、記録面が擦れたり、媒体の整合性が不良となったりすることがある。  
記録後の媒体を、記録ユニット２から中間ユニット３を介して第１ユニット５に受け渡すことにより、記録後の媒体が第１ユニット５に送られるまでの搬送時間を長くとり、第１ユニット５或いは第２ユニット６に到達するまでに、媒体をより乾燥させることができる。
【００４６】
＜＜＜第１ユニットについて＞＞＞
続いて、第１ユニット５（媒体処理装置）について説明する。図１に示される第１ユニット５は、−Ｙ方向の下方に中間ユニット３から媒体を受け入れる受け入れ部４１を備えている。中間ユニット３の合流経路３３を搬送される媒体は、受け入れ部４１から第１ユニット５内に入り、第１搬送経路４３に受け渡される。
【００４７】
第１ユニット５は、受け入れ部４１から受け入れた媒体に乾燥処理を行う媒体乾燥装置５０と、受け入れ部４１から受け入れた媒体に対し、或いは媒体乾燥装置５０で処理された媒体に対して処理を行う処理部としての端綴じ部４２と、を備えている。  
第１ユニット５は、受け入れ部４１から受け入れた媒体を端綴じ部４２に送る第１搬送経路４３と、第２分岐部Ｄ２で第１搬送経路４３から分岐して媒体を媒体乾燥装置５０に送る第２搬送経路４４と、を備えている。第２分岐部Ｄ２には、媒体の送り先を第１搬送経路４３と第２搬送経路４４との間で切り換える不図示のフラップが設けられている。
【００４８】
端綴じ部４２は、例えば媒体の片側の角部や媒体の片側の一辺など、媒体の端部を綴じる端綴じ処理を行う構成部である。端綴じ部４２は、一例としてステープラーを備えて構成されている。
【００４９】
媒体乾燥装置５０は、媒体に乾燥処理を施す。本実施形態において、媒体乾燥装置５０は、媒体を加熱することにより媒体を乾燥させる。媒体乾燥装置５０の詳細な構成は後で説明するが、媒体乾燥装置５０による乾燥処理後の媒体は、端綴じ部４２、または第２ユニット６に設けられる中綴じ処理部７０のいずれかに送られる。
【００５０】
本実施形態の第１ユニット５において、媒体乾燥装置５０は、図１に示されるように、端綴じ部４２に対し鉛直下方である−Ｚ方向に位置する。また、図示を省略するが、媒体乾燥装置５０と端綴じ部４２とが鉛直方向、つまり上面から見て重なる部位を有するように配置されている。  
媒体乾燥装置５０及び端綴じ部４２がこのような位置関係で配置されることにより、第１ユニット５の水平方向寸法の増大を抑制して装置の小型化を実現できる。
【００５１】
また、第１ユニット５は、図１に示されるように、受け入れ部４１から受け入れた媒体にパンチ処理を行うパンチ処理部４６を備えている。パンチ処理部４６は、第１ユニット５に受け入れられた媒体が通る第１搬送経路４３の、受け入れ部４１に近い位置に設けられており、第１搬送経路４３の上流でパンチ処理を実行可能に構成されている。パンチ処理部４６は、媒体乾燥装置５０に対し鉛直下方に配置されている。また、図示を省略するが、パンチ処理部４６も、媒体乾燥装置５０及び端綴じ部４２と、鉛直方向（Ｚ軸方向）から見て、すなわち上面から見て重なる部位を有するように配置されている。尚、乾燥部５０及びパンチ処理部４６のみ、または端綴じ部４２及びパンチ処理部４６のみが重なる構成でもよい。
【００５２】
受け入れ部４１から受け入れた媒体は、図１に示される第１搬送経路４３を通って処理トレイ４８まで送ることができる。処理トレイ４８に送る媒体には、パンチ処理部４６によるパンチ処理が施されていてもいなくてもよい。処理トレイ４８において、媒体は、搬送方向の後端を揃えて処理トレイ４８にスタックされる。所定の枚数の媒体Ｐが処理トレイ４８にスタックされたら、媒体Ｐの後端に端綴じ部４２による端綴じ処理が行われる。第１ユニット５は、＋Ｙ方向に媒体を排出する第２排出部６２を備えている。尚、第１ユニット５は、第２排出部６２の他、後述する第１排出部６１及び第３排出部６３を備え、これらからも媒体を排出可能に構成されている。
【００５３】
端綴じ部４２で処理された媒体は、不図示の排出手段によって第２排出部６２から第１ユニット５の本装置体外に排出されるとともに、第２排出部６２から排出される媒体を受けるトレイとしての第１トレイ４０に載置される。第１トレイ４０は、第１ユニット５から＋Ｙ方向に突出して設けられている。本実施形態において第１トレイ４０は、ベース部４０ａと延長部４０ｂを備え、延長部４０ｂはベース部４０ａに収納可能に構成されている。
【００５４】
また、第１搬送経路４３には、第２分岐部Ｄ２の下流の第３分岐部Ｄ３で第１搬送経路４３から分岐する第３搬送経路４５が接続されている。第３分岐部Ｄ３には、媒体の送り先を第１搬送経路４３と第３搬送経路４５との間で切り換える不図示のフラップが設けられている。
【００５５】
第１ユニット５の上部には、上部トレイ４９が設けられている。第３搬送経路４５は、第３分岐部Ｄ３から前述した第３排出部６３まで連なり、第３搬送経路４５を搬送された媒体は、不図示の排出手段によって第３排出部６３から上部トレイ４９に排出される。上部トレイ４９には、パンチ処理部４６によるパンチ処理が実行された媒体を載置することができる。また、パンチ処理を実行せず、記録後に何も処理を施さない媒体をスタックすることもできる。
【００５６】
第１搬送経路４３には、第１分岐部Ｄ１で第１搬送経路４３から分岐し、第１合流部Ｇ１で第１搬送経路４３に再び合流する重ね経路６４が設けられている。重ね経路６４は、媒体を二枚重ねて媒体乾燥装置５０または端綴じ部４２に送る重ね処理部４７を構成する。先行して搬送される先行媒体を重ね経路６４に送り、第１搬送経路４３を搬送される後続媒体と先行媒体を第１合流部Ｇ１で合流させることにより、先行媒体と後続媒体とを重ねて第１合流部Ｇ１より下流に搬送することができる。尚、重ね処理部４７は、重ね経路６４を複数設け、三枚以上の媒体を重ねて下流に送る構成としてもよい。第１ユニット５において、重ね処理部４７は、媒体乾燥装置５０に対し鉛直下方に位置するとともに、媒体乾燥装置５０、端綴じ部４２、及び重ね処理部４７が、鉛直方向から見て、すなわち上面から見て重なる部位を有する。尚、乾燥部５０及び重ね処理部４７のみ、または端綴じ部４２及び重ね処理部４７のみが重なる構成でもよい。
【００５７】
第１ユニット５において、第１搬送経路４３、第２搬送経路４４、及び第３搬送経路４５のそれぞれには、媒体を搬送する手段の一例として、図示を省略するローラー対が一対以上配置されている。
【００５８】
＜＜＜媒体乾燥装置について＞＞＞
続いて、第１処理部としての媒体乾燥装置５０について説明する。  
記録ユニット２のラインヘッド２０からインク（液体）が吐出されて記録が行われた媒体は、中間ユニット３内を搬送される間にインクがある程度蒸発して乾燥するが、媒体の乾燥が十分ではないと、端綴じ処理や中綴じ処理を行うために複数枚の媒体を整合する際の整合性が不良となる場合がある。図１に示す媒体を端綴じ部４２や中綴じ処理部７０に媒体を送る前に、媒体乾燥装置５０において媒体に乾燥処理を施すことができる。
【００５９】
図２に示される媒体乾燥装置５０は、ラインヘッド２０による記録が行われて搬送される媒体を乾燥する乾燥処理部としてのヒートローラー対５１（乾燥ローラー対）と、媒体における記録が行われた領域を含む領域に対して複数の孔を形成する穿孔部１００と、を備えている。本実施形態において、穿孔部１００はヒートローラー対５１が兼ねている。  
以下、穿孔部１００の機能を兼ねるヒートローラー対５１の構成について説明する。
【００６０】
図２に示されるように、ヒートローラー対５１は、不図示の駆動源により駆動される乾燥駆動ローラー５１ａと、乾燥駆動ローラー５１ａの回転に従動回転する乾燥従動ローラー５１ｂと、で媒体を挟持する乾燥ローラー対として構成されている。  
本実施形態においては、乾燥駆動ローラー５１ａが加熱されるように構成されている。したがって、ヒートローラー対５１に媒体をニップして搬送しつつ媒体を加熱することができる。
【００６１】
乾燥駆動ローラー５１ａは、一例として、ローラー内部に誘導コイル５３を備え、誘導コイル５３に電流を流すことにより発生する磁場の作用でローラーを発熱させる誘導発熱方式で加熱することができる。また、誘導発熱方式の他、例えばハロゲンランプを熱源として用いることもできる。  
乾燥駆動ローラー５１ａは、一例として熱伝導率の高い金属材料で形成されている。尚、乾燥従動ローラー５１ｂは、樹脂材料で形成したスポンジ等の弾性を有する材料で形成されている。
【００６２】
乾燥駆動ローラー５１ａの加熱温度は、誘導コイル５３による加熱のオンオフにより調整することができる。また、例えば、誘導コイル５３に流す電流のデューティ比の制御により温度調整することもできる。尚、媒体乾燥装置５０には、乾燥駆動ローラー５１ａのローラー温度を検出する不図示の温度検出部を設けることができる。
【００６３】
本実施形態においては、図２及び図３に示されるように、誘導コイル５３として第１誘導コイル５３ａと第２誘導コイル５３ｂの二本が設けられている。  
第１誘導コイル５３ａ及び第２誘導コイル５３ｂは、図３に示されるように、媒体の幅方向であるＸ軸方向にずれて配置されており、このことにより、乾燥駆動ローラー５１ａの加熱領域がＸ軸方向において複数に分割されている。
【００６４】
図３において、第１誘導コイル５３ａは、乾燥駆動ローラー５１ａの媒体幅方向の端部領域Ｍ１、Ｍ３を加熱し、第２誘導コイル５３ｂは、乾燥駆動ローラー５１ａの媒体幅方向の中央領域Ｍ２を加熱する。この構成により、端部領域Ｍ１、Ｍ３と中央領域Ｍ２とを個別に加熱可能になり、媒体幅方向における加熱領域を切り換えることができる。  
尚、媒体幅方向における加熱領域の異なる誘導コイル５３を三本以上設けることもできるし、１本の誘導コイル５３で媒体幅方向の全域を加熱する構成とすることもできる。
【００６５】
尚、ヒートローラー対５１は、本実施形態のように、ヒートローラー対５１を構成する乾燥駆動ローラー５１ａと乾燥従動ローラー５１ｂのうち、少なくとも一方が加熱される構成であればよく、乾燥従動ローラー５１ｂのみが加熱される構成でもよい。  
また、乾燥駆動ローラー５１ａと乾燥従動ローラー５１ｂとの双方が加熱されるように構成することもできる。乾燥駆動ローラー５１ａと乾燥従動ローラー５１ｂとの双方が加熱される構成であれば、用紙の両面を加熱して、より確実な用紙の乾燥を実現できる。
【００６６】
前述したように、中間ユニット３から送られる媒体は、直近の記録面が下を向いた状態で、図１に示す第１ユニット５の受け入れ部４１から第１搬送経路４３を経由して第２搬送経路４４に入る。そして媒体は、直近の記録面が下を向いた状態でヒートローラー対５１にニップされる。したがって、図２及び図３に示すヒートローラー対５１のうち、加熱される乾燥駆動ローラー５１ａが、媒体の直近の記録面に接触する。つまり直近の記録面を直接加熱することができるので、媒体に含まれる液体成分を効果的に加熱し、媒体を乾燥することができる。
【００６７】
ここで、図４において、媒体を符号Ｐで示し、加熱される乾燥駆動ローラー５１ａが当たる媒体Ｐの面を第２面Ｋ２とし、乾燥駆動ローラー５１ａが当らない媒体Ｐの面を第１面Ｋ１とする場合、ヒートローラー対５１によって媒体Ｐが搬送された後、図４の上図に示されるように、媒体の厚み方向（図４においてＺ軸方向）の中心付近や、乾燥駆動ローラー５１ａが当らない第１面Ｋ１に近い部分に液体成分Ｌが残ることがあり、媒体Ｐの乾燥が十分に行われない場合があった。乾燥従動ローラー５１ｂも加熱する構成とすれば、第１面Ｋ１に近い部分に液体成分Ｌは蒸発し易くなるが、媒体の厚み方向の中心付近には液体成分Ｌが残る場合があった。
【００６８】
そこで、本実施形態においては、穿孔部１００によって、図４の下図に示されるように媒体Ｐに対して複数の孔Ｈを形成する。媒体に対して複数の孔Ｈが形成されていると、比表面積が増えて媒体Ｐの内部から液体成分Ｌが蒸発し易くなる。このことによって、ヒートローラー対５１の加熱による媒体Ｐの乾燥を効果的に行うことができる。
【００６９】
＜穿孔部について＞
本実施形態において、穿孔部１００としてのヒートローラー対５１は、図５に示されるように、乾燥駆動ローラー５１ａに媒体Ｐに突き刺し可能な複数の突刺し部１０１が設けられている。  
より具体的には、乾燥駆動ローラー５１ａは、熱伝導性を有する金属材料で形成された筒状の基体部１０３と、基体部１０３に複数取り付けられるリング状部材１０２と、により構成されている。リング状部材１０２は、リングの周方向に複数の突刺し部１０１を有している。
【００７０】
基体部１０３の筒の中には、前述した誘導コイル５３（第１誘導コイル５３ａ及び第２誘導コイル５３ｂ）が設けられている。リング状部材１０２を基体部１０３に取り付けることにより、基体部１０３に突刺し部１０１を設けることができる。  
リング状部材１０２は、Ｘ軸方向に間隔を空けて基体部１０３に複数取り付けられている。本実施形態においては、突刺し部１０１を含むリング状部材１０２も熱伝導性を有する金属材料で形成されている。
【００７１】
基体部１０３は、図５及び図６に示されるように、Ｘ軸方向に延設される凹部１０３ａ及び凹部１０３ｂを備えている。リング状部材１０２は、凹部１０３ａ及び凹部１０３ｂに嵌合する凸部１０２ａ及び凸部１０２ｂ（図６）を備えている。凹部１０３ａと凹部１０３ｂとは、周方向において、互いに対向する位置に設けられている。また、凸部１０２ａと凸部１０２ｂも、凹部１０３ａ及び凹部１０３ｂと同様に、周方向において互いに対向する位置に設けられている。  
凹部１０３ａと凸部１０２ａ、または凹部１０３ｂと凸部１０２ｂとが嵌合することにより、基体部１０３の周方向においてリング状部材１０２が固定される。
【００７２】
また、図５及び図７に示されるように、Ｘ軸方向において、複数のリング状部材１０２の間には、リング状部材１０２同士の間隔を決める間隔部材１０４が設けられている。間隔部材１０４を介して複数のリング状部材１０２を配置することにより、Ｘ軸方向い所定の間隔を空けて複数のリング状部材１０２を設けることができる。間隔部材１０４は、熱伝導性を有する材料で形成されていることが望ましい。間隔部材１０４が熱伝導性を有することにより、より効率的に突刺し部１０１に熱を伝えることができる。  
尚、基体部１０３にリング状部材１０２を取り付ける構成ではなく、基体部１０３の表面に切り起こし加工を行い、基体部１０３に直接突刺し部１０１を形成することもできる。
【００７３】
突刺し部１０１は、ヒートローラー対５１のうちの一方に設けられる。したがって、乾燥駆動ローラー５１ａではなく、乾燥従動ローラー５１ｂの外周面に突刺し部１０１を設けることもできるが、突刺し部１０１は加熱されるローラーに設けることが望ましい。突刺し部１０１が設けられるローラーが加熱されることにより、突刺し部１０１で媒体を刺したときに媒体の内部に熱がかかり、一層効果的に媒体の乾燥を行うことができる。
【００７４】
穿孔部１００が、乾燥処理部としてのヒートローラー対５１に設けられていることにより、ヒートローラー対５１によって媒体を搬送する際に、突刺し部１０１が媒体に突き刺さり、図４の下図に示されるように、媒体Ｐに対して複数の孔Ｈを形成することができる。  
ヒートローラー対５１は、媒体Ｐを加熱するとともに媒体Ｐに複数の孔Ｈを形成するので、媒体Ｐの乾燥を効果的に行うことができる。  
また、ヒートローラー対５１によって媒体Ｐの乾燥と媒体Ｐへの穿孔とを行うことができるので、部品点数を減らし、装置の小型化を図ることができる。
【００７５】
また、媒体乾燥装置５０は、図２に示されるように、ヒートローラー対５１を含み、媒体を周回搬送可能なループ状搬送経路５２を備えている。ループ状搬送経路５２は、内経路形成部５７ａと外経路形成部５７ｂとにより形成され、内経路形成部５７ａと外経路形成部５７ｂとの間の空間を媒体が搬送される。第１搬送経路４３（図１）から分岐した第２搬送経路４４は、ヒートローラー対５１の上流でループ状搬送経路５２に合流しており、第２搬送経路４４に設けられた搬送ローラー対６８によって媒体を送り、ループ状搬送経路５２に導入することができる。
【００７６】
図２に示されるループ状搬送経路５２には、ヒートローラー対５１の他に、媒体を搬送する第１搬送ローラー対５４Ａ、第２搬送ローラー対５４Ｂ、及び第３搬送ローラー対５４Ｃが設けられており、ループ状搬送経路５２において媒体を周回搬送可能に構成されている。図２において、符号Ｐで示す一点鎖線は、第２搬送経路４４からループ状搬送経路５２に入り１周回った媒体の軌跡を示している。  
ループ状搬送経路５２を備えた上で、媒体を複数回、周回搬送することにより、ヒートローラー対５１による乾燥処理を複数回施すことができる。したがって、媒体をより確実に乾燥させることができる。  
また、ループ状搬送経路５２を備えることにより、例えば、ヒートローラー対５１を搬送経路に複数設ける場合に比して、乾燥処理を複数回行う為の搬送経路が大型化せず、装置の大型化を抑制できる。また、ヒートローラー対５１を搬送経路に複数設ける場合に比して、ヒートローラー対５１の熱源に供給する電流を抑制でき、消費電力の増加を抑制できる。
【００７７】
また、突刺し部１０１は乾燥駆動ローラー５１ａに設けられているので、穿孔部１００は、図２に示されるループ状搬送経路５２を媒体が搬送される場合に、突刺し部１０１は、ループ状搬送経路５２のループの外を向く面から孔を開ける。  
図４の下図に示すように、第２面Ｋ２から孔Ｈが開けられた媒体Ｐを、第２面Ｋ２がループ状搬送経路５２の外を向くように搬送すると、媒体Ｐがループ状搬送経路５２で孔Ｈが開くように湾曲して、媒体Ｐの内部の液体成分Ｌが蒸発し易い状態にすることができる。
【００７８】
＜媒体乾燥装置における他の構成＞
ヒートローラー対５１において、突刺し部１０１が設けられる乾燥駆動ローラー５１ａは、図８の左図に示されるように、媒体Ｐに対して突刺し部１０１が突き刺さる進出位置と、図８の右図に示されるように、媒体に対して突刺し部１０１が突き刺ささらない退避位置と、の間で変位可能に構成されている。
【００７９】
乾燥駆動ローラー５１ａは、一例として引っ張りバネ等の第１の押圧部材９３によりループ状搬送経路５２から退避する方向（−Ｚ方向）に押圧されている。第１の押圧部材９３は、乾燥駆動ローラー５１ａを保持する第１ホルダー９７に接続されている。そして、第１ホルダー９７に当接するとともに、不図示の駆動源により回転される第１の偏心カム９４を回転させることにより、乾燥駆動ローラー５１ａをＺ軸方向に変位可能に構成されている。第１の偏心カム９４の回転は、制御部２５によって制御され、以って乾燥駆動ローラー５１ａを進出位置（図８の左図）と退避位置（図８の右図）との間で変位させることができる。第１の偏心カム９４の位相は、不図示のエンコーダーにより、制御部２５が検知できる構成である。  
乾燥駆動ローラー５１ａを進出位置と退避位置との間で変位させることにより、突刺し部１０１が媒体Ｐに突き刺さって媒体Ｐに孔Ｈを形成する状態と、突刺し部１０１が媒体Ｐに突き刺さらず、媒体Ｐに孔Ｈを形成しない状態と、を切り換えることができる。
【００８０】
乾燥駆動ローラー５１ａの位置は、条件に応じて切り換える構成とすることができる。条件としては、記録ユニット２における記録時に媒体に吐出されたインクの吐出量、媒体への記録が両面記録か片面記録か、乾燥する際の温度や湿度等の環境条件等が挙げられる。  
例えば、記録ユニット２における記録時に媒体に吐出されたインクの吐出量が少ない等により、媒体Ｐに乾燥処理を施す必要が無い場合には、乾燥駆動ローラー５１ａを退避位置にして媒体Ｐに熱がかからないようにすることができる。
【００８１】
また、図８において、乾燥従動ローラー５１ｂは、進出位置にある乾燥駆動ローラー５１ａに対して所定の押圧力をもって押圧されるように構成されている。乾燥従動ローラー５１ｂを保持する第２ホルダー９８と、装置内の所定の固定位置との間には、引っ張りバネ等の第２の押圧部材９６が設けられている。そして、第２ホルダー９８に当接するとともに、不図示の駆動源により回転される第２の偏心カム９５を回転させることにより、乾燥従動ローラー５１ｂの乾燥駆動ローラー５１ａに対する押圧力を変更可能に構成されている。  
尚、図８においては、第２の押圧部材９６の状態の変化を分かり易くするため、乾燥従動ローラー５１ｂをループ状搬送経路５２から大きく退避させているが、乾燥従動ローラー５１ｂは、ループ状搬送経路５２から退避しない構成とすることができる。
【００８２】
第１の偏心カム９４の回転を制御部２５によって制御することにより、乾燥従動ローラー５１ｂの乾燥駆動ローラー５１ａに対する押圧力を調整し、以って、ヒートローラー対５１におけるニップ圧を調整することができる。ヒートローラー対５１におけるニップ圧は、条件に応じて変更することが好ましい。
【００８３】
条件としては、例えば媒体の種別や剛性、厚み、坪量等の他、記録ユニット２における記録時に媒体に吐出されたインクの吐出量、媒体への記録が両面記録か片面記録か、乾燥する際の温度や湿度等の環境条件等が挙げられる。  
これらの条件に応じてヒートローラー対５１による加熱を制御することにより、媒体をより適切に乾燥することができる。ヒートローラー対５１による加熱の制御は、例えば、加熱の有無、加熱する場合の温度、加熱する場合に余熱を行うか否か、ヒートローラー対５１の加熱を開始するタイミング等が挙げられる。
【００８４】
また、記録システム１において、ヒートローラー対５１による加熱は、制御部２５（図１）によって制御されている。制御部２５は、条件に応じてヒートローラー対５１の加熱を制御することができる。条件としては、ヒートローラー対５１におけるニップ圧を制御する場合と同様の条件を用いることができる。
【００８５】
また、図２に示されるように、ヒートローラー対５１の下流であって、第１搬送ローラー対５４Ａの上流には、第１ダクト５５ａ及び第２ダクト５５ｂが設けられている。第１ダクト５５ａは第１ファン５６ａにより吸引されており、第２ダクト５５ｂは第２ファン５６ｂにより吸引されている。  
内経路形成部５７ａ及び外経路形成部５７ｂにおいて、第１ダクト５５ａ及び第２ダクト５５ｂに対応する部分は、ループ状搬送経路５２の空気が通る孔を有する内吸引部５８ａ及び外吸引部５８ｂで形成され、ループ状搬送経路５２の空気を各ダクトで吸引できるようになっている。  
内吸引部５８ａ及び外吸引部５８ｂは、例えば媒体搬送方向に沿う縦格子状に形成することができる他、孔を設けたり、網目状に形成したりすることもできる。
【００８６】
第１ダクト５５ａ及び第２ダクト５５ｂを備えることにより、インク（液体）を含んだ媒体をヒートローラー対５１で加熱した際に発生する蒸気を速やかに装置外に排出することができる。
【００８７】
図２に示されるループ状搬送経路５２において、第２搬送ローラー対５４Ｂの下流であって、第３搬送ローラー対５４Ｃの上流には、第４搬送経路５９が接続されている。第４搬送経路５９は、第１搬送経路４３に第２合流部Ｇ２（図１参照）で合流し、ヒートローラー対５１による乾燥処理後の媒体を第１搬送経路４３に戻す経路である。  
また、ループ状搬送経路５２において、第１搬送ローラー対５４Ａの下流であって、第２搬送ローラー対５４Ｂの上流には、第５搬送経路６０が接続されている。第５搬送経路６０は、図１に示す第１排出部６１に連なる経路であり、ヒートローラー対５１による乾燥処理後の媒体を第２ユニット６に向けて送り出す経路である。
【００８８】
また、図１に示す第１ユニット５は、媒体乾燥装置５０で処理された媒体を第１排出部６１に送る第１状態と、媒体乾燥装置５０で処理された媒体を端綴じ部４２に送る第２状態と、を切り換え可能な切り換え部材としての切換フラップ９０（図２）を備えている。  
本実施形態において、切換フラップ９０は、第１切換フラップ９０ａ及び第２切換フラップ９０ｂの二つを備えている。
【００８９】
より具体的には、図２に示されるループ状搬送経路５２において、第４搬送経路５９との接続部に第１切換フラップ９０ａが設けられ、第５搬送経路６０との接続部に第２切換フラップ９０ｂが設けられている。  
第１切換フラップ９０ａは第１軸部９１ａを備え、第１軸部９１ａを中心として揺動可能に構成されている。第２切換フラップ９０ｂは第２軸部９１ｂを備え、第２軸部９１ｂを中心として揺動可能に構成されている。  
第１切換フラップ９０ａ及び第２切換フラップ９０ｂは、不図示のモーターや電磁クラッチにより動作され、その動作は一例として記録ユニット２に設けられる制御部２５により制御することができる。
【００９０】
媒体がループ状搬送経路５２を周回搬送される場合、第１切換フラップ９０ａ及び第２切換フラップ９０ｂは、図２に示されるように、それぞれ第４搬送経路５９と第５搬送経路６０とを塞ぐ姿勢にされている。以下、図２に示す切換フラップ９０の状態を周回状態と言う。
【００９１】
媒体乾燥装置５０で処理された媒体を第１排出部６１に送る場合、つまり、媒体を第５搬送経路６０に送る場合、切換フラップ９０は図２の周回状態から図９の左図に示す第１状態にされる。第１状態において、第２切換フラップ９０ｂは、第５搬送経路６０を開放するとともに、ループ状搬送経路５２を塞ぐ姿勢に揺動する。第１切換フラップ９０ａは第４搬送経路５９を塞ぐ姿勢のままである。  
切換フラップ９０を第１状態とすることにより、ヒートローラー対５１を通って乾燥処理された媒体を第５搬送経路６０に送り、第１排出部６１から第２ユニット６に媒体を受け渡すことができる。
【００９２】
媒体乾燥装置５０で処理された媒体を端綴じ部４２に送る場合、つまり、媒体を第４搬送経路５９に送る場合、切換フラップ９０は図２の周回状態から図９の右図に示す第２状態にされる。第２状態において、第１切換フラップ９０ａは、第４搬送経路５９を開放するとともに、ループ状搬送経路５２を塞ぐ姿勢に揺動する。第２切換フラップ９０ｂは第５搬送経路６０を塞ぐ姿勢のままである。  
切換フラップ９０を第２状態とすることにより、ヒートローラー対５１を通って乾燥処理された媒体を第４搬送経路５９に送り、以って、端綴じ部４２に送ることができる。  
以上のような切換フラップ９０を備えることにより、媒体を第２ユニット６に送る場合と端綴じ部４２に送る場合との双方において乾燥処理を施すことができる。
【００９３】
また、ループ状搬送経路５２は、図１に示されるように、水平方向から見て端綴じ部４２（第２処理部）の領域内に収まっている。また、図示を省略するが、媒体乾燥装置５０のＸ軸方向の長さは端綴じ部４２とほぼ同じ長さであり、ループ状搬送経路５２は、Ｘ軸方向においても端綴じ部４２の領域内に収まっている。  
ループ状搬送経路５２が、水平方向から見て端綴じ部４２の領域内に収まっていることにより、装置の水平方向寸法の増大を効果的に抑制して装置の小型化を実現できる。
【００９４】
尚、媒体乾燥装置５０は、ループ状搬送経路５２を有しない構成とすることも可能である。  
また、本実施形態においては、媒体を外部から加熱することにより媒体を乾燥させる媒体乾燥装置５０について説明したが、媒体乾燥装置５０は、例えば媒体に対して風を当てることにより媒体を乾燥させる構成とすることも可能である。  
また、本実施形態において、記録システム１から記録機能を省いた装置を、媒体処理装置と捉えることもできる。
【００９５】
＜＜＜第２ユニットについて＞＞＞
続いて、図１を参照して中綴じユニットとしての第２ユニット６について説明する。  
第２ユニット６は、第１ユニット５の装置本体の外側に設けられ、第１排出部６１から排出される媒体を受け入れ、媒体排出方向（＋Ｙ方向）と交差する方向である媒体幅方向（Ｘ軸方向）の中央を綴じる中綴じ処理を行う。  
第１ユニット５の第１排出部６１から受け渡された媒体は、図１において実線で示される搬送経路６９を搬送されて、中綴じ処理部７０に送られる。中綴じ処理部７０では、媒体束Ｍを綴じた後、綴じ位置で折って冊子体にする中綴じ処理を行うことができる。中綴じ処理部７０による中綴じ処理については後で詳しく説明する。
【００９６】
中綴じ処理部７０による中綴じ処理後の媒体束Ｍは、図１に示される第２トレイ６５に排出される。第２トレイ６５は媒体排出方向である＋Ｙ方向の先端に規制部６６を備え、第２トレイ６５に排出された媒体束Ｍが媒体排出方向に第２トレイ６５からはみ出す、或いは第２トレイ６５から落下することを抑制する。符号６７は、第２ユニット６から排出される媒体束Ｍを第２トレイ６５にガイドするガイド部６７である。
【００９７】
本実施形態において、第２ユニット６は、第１ユニット５に設けられた第１トレイ４０の下方において着脱可能に構成されている。  
この構成によって、記録システム１、或いは媒体処理装置としての第１ユニット５において、第２ユニット６を有する構成と、第２ユニット６を省く構成とを容易に切り換えることができる。また、第２ユニット６が装着された際、第２ユニット６は、第１トレイ４０の下方に位置するので、第２ユニット６によって第１トレイ４０に排出された媒体の取り出しが妨げられることがない。
【００９８】
続いて、図１及び図１０を参照して中綴じ処理部７０周辺の構成について説明する。図１に示される第２ユニット６には、搬送経路６９に設けられ、媒体Ｐを搬送する送り手段としての送りローラー対７５と、媒体Ｐをスタックするスタック部７１と、スタック部７１にスタックされた媒体に中綴じ処理を行う中綴じ処理部７０が設けられている。中綴じ処理部７０は、スタック部７１にスタックされた複数枚の媒体Ｐから成る媒体束Ｍを綴じ位置で綴じる綴じ手段７２と、媒体束Ｍを綴じ位置で折る折り手段としての折りローラー対７３と、を備えている。
【００９９】
図１０に示されるように、スタック部７１には、スタックされた媒体Ｐの下流端Ｅ１を整合させる整合部７６と、パドル８１とを備えている。送りローラー対７５は、不図示の駆動源により駆動される駆動ローラー７５ａと、駆動ローラー７５ａの回転に従動回転する従動ローラー７５ｂと、を備え、駆動ローラー７５ａは、制御部２５によって制御されて回転する。
【０１００】
図１０において、スタック部７１は、送りローラー対７５によって搬送される媒体Ｐを搬送方向＋Ｒ下流が下方を向く傾斜姿勢で支持する支持面８５と、支持面８５と対向する対向面８６との間に受け入れてスタックする。パドル８１は、搬送方向＋Ｒにおいて送りローラー対７５と整合部７６との間に設けられ、媒体Ｐに接触しつつ回転軸８２を軸として回転することにより、媒体Ｐを整合部７６に向けて移動させる。
【０１０１】
図１０において符号Ｇは、搬送経路６９とスタック部７１とが合流する合流位置Ｇを示している。また、本実施形態における綴じ位置は、スタック部７１にスタックされた媒体Ｐの搬送方向＋Ｒにおける中央部Ｃである。媒体Ｐは、送りローラー対７５によって搬送経路６９からスタック部７１に送られる。  
スタック部７１には、スタック部７１にスタックされた媒体Ｐの搬送方向＋Ｒの下流端Ｅ１に当接可能な整合部７６と、スタック部７１にスタックされた媒体Ｐの搬送方向＋Ｒの上流端Ｅ２に当接可能な当接部７７とが設けられている。
【０１０２】
整合部７６及び当接部７７は、図１０に示すスタック部７１における媒体Ｐの搬送方向＋Ｒと、その逆方向−Ｒとの双方に移動可能に構成されている。整合部７６及び当接部７７は、例えば、不図示の駆動源の動力によって動作するラックアンドピニオン機構やベルト移動機構等を用い、搬送方向＋Ｒ及び逆方向−Ｒに移動させることができる。整合部７６及び当接部７７の移動は、スタック部７１におけるスタック動作について説明する際に詳述する。
【０１０３】
合流位置Ｇの下流には、スタック部７１にスタックされた媒体束Ｍを搬送方向＋Ｒにおける所定の位置で綴じる綴じ手段７２が設けられている。綴じ手段７２は、一例としてステープラーである。綴じ手段７２は、媒体の幅方向であるＸ軸方向に間隔を空けて複数設けられている。前述したように、綴じ手段７２は搬送方向＋Ｒにおいて媒体束Ｍの中央部Ｃを綴じ位置として媒体束Ｍを綴じるように構成されている。
【０１０４】
図１０において綴じ手段７２の下流には、折りローラー対７３が設けられている。対向面８６は、折りローラー対７３のニップ位置Ｎに対応する位置が開口しており、スタック部７１から折りローラー対７３への媒体束Ｍの進入路７８が形成されている。対向面８６の進入路７８の入り口には、スタック部７１から綴じ位置である中央部Ｃをニップ位置Ｎに誘う斜面が形成されている。
【０１０５】
スタック部７１を挟んで折りローラー対７３の反対側には、図１０のようにスタック部７１から退避した退避状態と、図１２の左図のように、スタック部７１にスタックされた媒体束Ｍの綴じ位置に対して進出した進出状態と、を切り換え可能なブレード７４を備えている。符号７９は支持面８５に設けられた孔部７９であり、孔部７９をブレード７４が通ることができる。
【０１０６】
＜＜＜中綴じ処理の際の媒体の搬送について＞＞＞
次に、図１０〜図１２を参照して、第２ユニット６において媒体Ｐを搬送して中綴じ処理を行い、排出するまでの基本的な流れについて説明する。  
図１０において、スタック部７１に送られてくる媒体Ｐは自重により整合部７６に向けて移動するとともに、媒体Ｐが一枚搬送されてくる毎にパドル８１が回転されて、媒体Ｐが整合部７６に向けて突き当てられる。  
図１０は、スタック部７１に複数枚重ねられた媒体Ｐが媒体束Ｍとしてスタックされている状態を示している。
【０１０７】
尚、スタック部７１に媒体を受け入れる際、整合部７６は、図１０に示されるように、搬送経路６９とスタック部７１との合流位置Ｇから整合部７６までの距離が、媒体Ｐの長さよりも長くなるように配置されている。このことにより、搬送経路６９から搬送される媒体Ｐの上流端Ｅ２が搬送経路６９に残ることなく、媒体Ｐがスタック部７１に受け入れられる。スタック部７１の搬送方向＋Ｒにおける整合部７６の位置は、媒体Ｐのサイズに応じて変えることができる。
【０１０８】
スタック部７１に所定枚数の媒体Ｐがスタックされたら、媒体束Ｍの搬送方向＋Ｒにおける中央部Ｃを綴じ手段７２で綴じる綴じ処理を行う。搬送経路６９からスタック部７１への媒体Ｐの搬送が終わった時点では、図１０に示されるように、中央部Ｃは綴じ手段７２の位置からずれているので、図１１の左図に示されるように整合部７６を−Ｒ方向に移動させて、媒体束Ｍの中央部Ｃを綴じ手段７２と対向する位置に配置する。更に、当接部７７を＋Ｒ方向に移動させて媒体束Ｍの上流端Ｅ２に当接させる。整合部７６と当接部７７とにより媒体束Ｍの下流端Ｅ１と上流端Ｅ２とを整合させて、媒体束Ｍの中央部Ｃを綴じ手段７２で綴じる。
【０１０９】
媒体束Ｍを綴じ手段７２で綴じたら、図１１の右図に示すように、整合部７６を＋Ｒ方向に移動させ、綴じた中央部Ｃが、折りローラー対７３のニップ位置Ｎと対向する位置に配置されるように媒体束Ｍを移動させる。自重により媒体束Ｍが整合部７６と当接した状態を保ったまま、整合部７６のみを＋Ｒ方向に移動させることにより、媒体束Ｍを＋Ｒ方向に移動させることができる。尚、当接部７７を、媒体束Ｍの上流端Ｅ２に当接した状態を維持する様に＋Ｒ方向に移動させてもよい。
【０１１０】
続いて、媒体束Ｍの中央部Ｃが折りローラー対７３のニップ位置Ｎと対向する位置に配置されたら、図１２の左図に示されるように、ブレード７４を＋Ｓ方向に進出させて中央部Ｃを折りローラー対７３に向けて撓ませる。撓んだ媒体束Ｍの中央部Ｃが進入路７８を通って、媒体束Ｍが折りローラー対７３のニップ位置Ｎに向かって移動される。
【０１１１】
媒体束Ｍの中央部Ｃが折りローラー対７３にニップされたら折りローラー対７３が回転され、図１２の右図に示されるように、媒体束Ｍが折りローラー対７３のニップ圧により中央部Ｃで折られつつ、第２トレイ６５（図１）に向けて排出される。  
また、中央部Ｃが折りローラー対７３にニップされた後、整合部７６は＋Ｒ方向に移動し、図１０の状態に戻ってスタック部７１における次の媒体Ｐの受け入れに備える。
【０１１２】
尚、搬送経路６９には、媒体Ｐの中央部Ｃに折り筋を付ける折り筋形成手段を設けることができる。折りローラー対７３による折り位置となる中央部Ｃに折り筋を付けることにより媒体束Ｍを中央部Ｃで折り易くすることができる。
【０１１３】
［第２実施形態］
図１３を参照して第２実施形態について説明する。尚、これ以降の実施形態において、第１実施形態と同一の構成については同一の符号を付し、その構成の説明は省略する。  
第２実施形態に係る媒体乾燥装置５０Ａは、穿孔部１００Ａを構成する突刺し部１０１Ａが、ヒートローラー対５１ではなく、他のローラー対に設けられている。
【０１１４】
本実施形態においては、第２搬送経路４４に設けられる搬送ローラー対６８の搬送駆動ローラー６８ａの外周面に突刺し部１０１Ａが設けられており、搬送ローラー対６８が穿孔部１００Ａを兼ねている。搬送ローラー対６８は、回転駆動される搬送駆動ローラー６８ａと、搬送駆動ローラー６８ａの回転に従動回転する搬送従動ローラー６８ｂとの間に媒体を挟持し、ヒートローラー対５１に向けて媒体を搬送する。搬送ローラー対６８によって媒体を搬送する際に、突刺し部１０１Ａが媒体に突き刺さり、媒体に対して複数の孔Ｈを形成することができる。  
尚、搬送駆動ローラー６８ａに対して突刺し部１０１Ａを設ける構成としては、第１実施形態において乾燥駆動ローラー５１ａに対して突刺し部１０１を設ける構成と同様の構成とすることができる。搬送駆動ローラー６８ａは加熱されないので、突刺し部１０１を形成する材料として熱伝導性の低いものを用いることもできる。
【０１１５】
本実施形態において、突刺し部１０１Ａは搬送駆動ローラー６８ａに設けられており、すなわち、穿孔部１００Ａは、ヒートローラー対５１に対して媒体搬送方向の上流に配置されている。穿孔部１００Ａがヒートローラー対５１の上流に位置することにより、ヒートローラー対５１による乾燥を行う前に媒体に対して複数の孔Ｈ（図４）を形成することができる。以って、ヒートローラー対５１による媒体の乾燥を効果的に行うことができる。  
尚、突刺し部１０１Ａは、搬送従動ローラー６８ｂの外周面に設けることもできるが、記録ユニット２における直近の記録面に接触する搬送駆動ローラー６８ａに設けることが好ましい。
【０１１６】
尚、本実施形態においては、ヒートローラー対５１の上流に設けられる搬送ローラー対６８が穿孔部１００Ａを兼ねる構成について説明したが、ヒートローラー対５１の下流に穿孔部１００Ａを設けることもできる。  
例えば、ループ状搬送経路５２において媒体を搬送する第１搬送ローラー対５４Ａ、第２搬送ローラー対５４Ｂ、第３搬送ローラー対５４Ｃのいずれかに突刺し部１０１Ａを設け、穿孔部１００Ａとすることもできる。
【０１１７】
また、突刺し部１０１Ａを備える搬送駆動ローラー６８ａも、第１実施形態において説明した、図８に示される乾燥駆動ローラー５１ａと同様、媒体に対して突刺し部１０１Ａが突き刺さる進出位置と、媒体に対して突刺し部１０１Ａが突き刺ささらない退避位置と、の間で変位可能に構成することができる。
【０１１８】
［第３実施例］
図１４を参照して第３実施形態について説明する。  
第３実施形態に係る媒体処理装置として、図１４に示す第１ユニット５Ａは、第１実施形態において説明した媒体乾燥装置５０と、端綴じ部４２と、媒体乾燥装置５０と、中綴じ処理部７０と、を一つのユニットに備えている。
【０１１９】
図１４に示されるように、第１ユニット５Ａにおいて、中綴じ処理部７０は、媒体乾燥装置５０に対し鉛直下方である−Ｚ方向に位置する、つまり、上から端綴じ部４２、媒体乾燥装置５０、中綴じ処理部７０の順に配置されている。また、図示を省略するが、端綴じ部４２と、媒体乾燥装置５０と、中綴じ処理部７０とは、Ｘ軸方向においても一部が重なっており、媒体乾燥装置５０、端綴じ部４２、及び中綴じ処理部７０が、鉛直方向から見て、すなわち上面から見て重なる部位を有するように配置されている。尚、乾燥部５０及び中綴じ処理部７０のみ、または端綴じ部４２及び中綴じ処理部７０のみが重なる構成でもよい。
【０１２０】
端綴じ部４２、媒体乾燥装置５０、及び中綴じ処理部７０が一つのユニットにこのように配置されていることにより、装置の水平方向寸法の増大を抑制して装置の小型化を実現しつつ、一つの装置で乾燥処理、端綴じ処理、中綴じ処理のすべてを実行可能な構成することができる。
【０１２１】
尚、端綴じ部４２と、媒体乾燥装置５０と、中綴じ処理部７０とを一つのユニットに設ける場合、図１４のような配置だけではなく、図１５に示す第１ユニット５Ｂのように、中綴じ処理部７０が鉛直方向において媒体乾燥装置５０と端綴じ部４２との間に位置する、つまり、上から端綴じ部４２、中綴じ処理部７０、媒体乾燥装置５０の順に配置することもできる。この場合も、媒体乾燥装置５０、端綴じ部４２、及び中綴じ処理部７０が、鉛直方向から見て、すなわち上面から見て重なる部位を有するように配置することにより、装置の水平方向寸法の増大を抑制して装置の小型化を実現することができる。尚、この場合も、乾燥部５０及び中綴じ処理部７０のみ、または端綴じ部４２及び中綴じ処理部７０のみが重なる構成でもよい。  
図１４に示される第１ユニット５Ａ、または図１５に示される第１ユニット５Ｂにおいて、媒体乾燥装置５０に替えて、第２実施形態に係る媒体乾燥装置５０Ａを配置することもできる。
【０１２２】
尚、上記実施形態に限定されることなく、特許請求の範囲に記載した発明の範囲内で、種々の変形が可能であり、それらも本発明の範囲内に含まれるものであることは言うまでもない。
【符号の説明】
【０１２３】
１…記録システム、２…記録ユニット、３…中間ユニット、５、５Ａ，５Ｂ…第１ユニット（媒体処理装置）、６…第２ユニット、１０…プリンター部、１１…スキャナー部、１２…媒体収容カセット、１３…記録後排出トレイ、１４…カセット収容部、２０…ラインヘッド（記録部）、２１…給送経路、２２…第１排出経路、２３…第２排出経路、２４…反転用経路、２５…制御部、３０…受入経路、３１…第１スイッチバック経路、３２…第２スイッチバック経路、３３…合流経路、３５…分岐部、３６…合流部、４０…第１トレイ（トレイ）、４０ａ…ベース部、４０ｂ…延長部、４１…受け入れ部、４２…端綴じ部（処理部）、４３…第１搬送経路、４４…第２搬送経路、４５…第３搬送経路、４６…パンチ処理部、４７…重ね処理部、４８…処理トレイ、４９…上部トレイ、５０、５０Ａ…媒体乾燥装置、５１…ヒートローラー対（乾燥処理部、乾燥ローラー対）、５１ａ…乾燥駆動ローラー、５１ｂ…乾燥従動ローラー、５２…ループ状搬送経路、５３…誘導コイル、５３ａ…第１誘導コイル、５３ｂ…第２誘導コイル、５４Ａ…第１搬送ローラー対、５４Ｂ…第２搬送ローラー対、５４Ｃ…第３搬送ローラー対、５５ａ…第１ダクト、５５ｂ…第２ダクト、５６ａ…第１ファン、５６ｂ…第２ファン、５７ａ…内経路形成部、５７ｂ…外経路形成部、５８ａ…内吸引部、５８ｂ…外吸引部、５９…第４搬送経路、６０…第５搬送経路、６１…第１排出部、６２…第２排出部、６３…第３排出部、６４…重ね経路、６５…第２トレイ、６６…規制部、６７…ガイド部、６８…搬送ローラー対、６９…搬送経路、７０…中綴じ処理部、７１…スタック部、７２…綴じ手段、７３…折りローラー対、７４…ブレード、７５…送りローラー対、７６…整合部、７７…当接部、７８…進入路、７９…孔部、８１…パドル、８２…回転軸、８５…支持面、８６…対向面、９０…切換フラップ、９０ａ…第１切換フラップ、９０ｂ…第２切換フラップ、９３…第１の押圧部材、９４…第１の偏心カム、９５…第２の偏心カム、９６…第２の押圧部材、１００、１００Ａ…穿孔部、１０１、１０１Ａ…突刺し部、１０２…リング状部材、１０３…基体部、１０４…間隔部材、Ｐ…媒体、Ｍ…媒体束、Ｃ…中央部、Ｄ１…第１分岐部、Ｄ２…第２分岐部、Ｄ３…第３分岐部、Ｇ１…第１合流部、Ｇ２…第２合流部、Ｈ…孔
【図１】
2020101328.tif 000003
【図２】
2020101328.tif 000004
【図３】
2020101328.tif 000005
【図４】
2020101328.tif 000006
【図５】
2020101328.tif 000007
【図６】
2020101328.tif 000008
【図７】
2020101328.tif 000009
【図８】
2020101328.tif 000010
【図９】
2020101328.tif 000011
【図１０】
2020101328.tif 000012
【図１１】
2020101328.tif 000013
【図１２】
2020101328.tif 000014
【図１３】
2020101328.tif 000015
【図１４】
2020101328.tif 000016
【図１５】
2020101328.tif 000017